(57)【特許請求の範囲】
【請求項１】
１または複数の桁数からなる特定のパスワードを予め設定し、前記特定のパスワードを構成する桁へ符号を入力し、この結果入力されたパスワードと、前記特定のパスワードとが不一致になったことを判定するパスワード処理装置において、
前記特定のパスワードを構成する桁の下位の桁に追加して、１または複数のダミーの桁を設定し、
操作に応じて、パスワードに割り当てられた符号を入力する符号スイッチと、
表示画面に前記特定のパスワードを構成する桁および当該桁よりも下位の１または複数のダミーの桁を表示する表示手段と、
前記表示画面のダミーの桁に符号が入力された場合、あるいはパスワードの入力が完了した時点で前記表示画面のダミーの桁に符号が入力されている場合には、入力されたパスワードと、前記特定のパスワードとが不一致であると判定する判定手段と
を備えたことを特徴とするパスワード処理装置。
【請求項２】
１または複数の桁数からなる特定のパスワードを予め設定し、前記特定のパスワードを構成する桁へ符号を入力し、この結果入力されたパスワードと、前記特定のパスワードとが不一致になったことを判定するパスワード処理装置において、
前記特定のパスワードを構成する桁の下位の桁に追加して、１または複数のダミーの桁を設定し、
操作に応じて、パスワードに割り当てられた符号を入力する符号スイッチと、
前記１または複数のダミーの桁への入力を促す指示を音声によって符号スイッチの操作者に与える音声出力手段と、
ダミーの桁に符号が入力された場合、あるいはパスワードの入力が完了した時点でダミーの桁に符号が入力されている場合には、入力されたパスワードと、前記特定のパスワードとが不一致であると判定する判定手段と
を備えたことを特徴とするパスワード処理装置。
【請求項３】
前記表示手段は、
符号が入力された桁よりも下位の桁を点滅させることを特徴とする請求項１記載のパスワード処理装置。
【発明の詳細な説明】
【０００１】
【発明の属する技術分野】
本発明はパスワード処理装置に関する。
【０００２】
【従来の技術】
建設機械は非常に高価なものであり盗難を効果的に防止することが必要となる。
【０００３】
そこで、暗証番号等の特定のパスワードの入力を建設機械の正当な使用者が実行しないかぎり建設機械の始動機能または作業機能をロックした状態を維持するパスワード処理装置が種々開発されている。
【０００４】
たとえば特開平９−５０５８４号公報に記載されている発明では、建設機械の運転室内にテンキー入力装置を設け、このテンキー入力装置に特定の暗証番号を入力することによりはじめて油圧系統（作業機能）のロック状態を解除して油圧系統を作動させるようにしている。
【０００５】
【発明が解決しようとする課題】
建設機械は移動に手間が掛かるので作業現場に長期間放置されやすい。また建設機械の作業現場は人里離れた場所が多い。このため建設機械にパスワード処理装置が設けられた場合、符号の入力操作が他人によって監視されることは困難な状況になる。このため建設機械では正当な使用者以外の者によって符号の入力操作が繰り返し行われることにより、やがて、予めパスワード処理装置に設定された特定のパスワードを構成する符号と、正当な使用者以外の者によって入力された符号とが一致して、建設機械の始動機能または作業機能をロックした状態が正当な使用者以外の者によって解除される虞がある。
【０００６】
以上のように従来技術では、複数の桁の符号の入力が機器の正当な使用者以外の者によって繰り返し行われることにより、機器の禁止状態が正当な使用者以外の者によって解除されるという問題が生じる。
【０００７】
本発明は、複数の桁に符号を繰り返し入力することが可能な状況下にあったとしても機器の禁止状態の解除を不可能にすることを解決課題とするものである。
【０００８】
【課題を解決するための手段および作用、効果】
そこで、本発明の第１発明では、上記解決課題を達成するために、
１または複数の桁数からなる特定のパスワードを予め設定し、前記特定のパスワードを構成する桁へ符号を入力し、この結果入力されたパスワードと、前記特定のパスワードとが不一致になったことを判定するパスワード処理装置において、
前記特定のパスワードを構成する桁に追加して、１または複数のダミーの桁を設定し、
前記１または複数のダミーの桁へ符号の入力を促す指示を与える指示手段と、
前記指示にしたがい前記１または複数のダミーの桁へ符号が入力された場合に、入力されたパスワードと、前記特定のパスワードとが不一致であると判定する判定手段と
を備えたことを特徴とする。
【０００９】
また、本発明の第２発明では、第１発明において、
前記指示手段は、
前記１または複数のダミーの桁を表示する表示手段であること
を特徴とする。
【００１０】
また、本発明の第３発明では、第１発明において、
前記指示手段は、
前記１または複数のダミーの桁への入力を促す指示を音声によって与える音声出力手段であること
を特徴とする。
【００１１】
また第４発明は、第１発明または第２発明または第３発明において、
前記特定のパスワードを構成する各桁と、前記１または複数のダミーの桁との配置関係を変更する変更手段をさらに備えたこと
を特徴とする。
【００１２】
第１発明および第２発明および第３発明を図１、図１０を参照して説明する。
【００１３】
第１発明および第２発明および第３発明によれば、特定のパスワードを構成する各桁に追加して、１または複数のダミーの桁が設定される（図１の記憶部１６ａ、１６ｂ、図１０のテレフォンバンキング用記憶装置１１２）。そして１または複数のダミーの桁への入力を促す指示が与えられる（図１の表示手段２、図９のテレフォンバンキング用端末１１１）。この指示にしたがい１または複数のダミーの桁へ符号が入力される（図１のスイッチ３〜１２、図９の電話機１１０のプッシュスイッチ１１６）。そして１または複数のダミーの桁へ符号が入力された場合に、入力されたパスワードと、特定のパスワードとが不一致であると判定される（図１の判定部１７、図９のテレフォンバンキング用判定装置１１３）。
【００１４】
従って、第１発明および第２発明および第３発明によれば、ダミーの桁への入力を促す指示にしたがってダミーの桁に符号を入力している限りは、機器の禁止状態は解除されないので、複数の桁に符号を繰り返し入力することが可能な状況下にあったとしても機器の禁止状態を解除することが実質的に不可能になる。
【００１５】
【発明の実施の形態】
以下本発明のパスワード処理装置の実施形態について図面を参照して説明する。なお本明細書では、「パスワード」とは、正当な使用者のみが知り得る複数の桁からなる数値、文字、記号等の組み合わせの意味で使用する。
【００１６】
まず、本発明のパスワード処理装置の第１の実施形態について図１〜図９を参照して説明する。なお、第１の実施形態ではパスワード処理装置として建設機械の運転室に設けたモニタパネルを想定している。
【００１７】
図１に示すようにパスワード処理装置１は筐体で構成され、大きくは、筐体外側に設けられた表示画面２と、同じく外側に設けられたスイッチ３〜１５と、筐体内部に設けられた記憶部１６ａ、１６ｂと、同じく筐体内部に設けられた判定部１７とから構成されている。
【００１８】
パスワード処理装置１としてのモニタパネルは表示画面２に表示する機能とスイッチ３〜１５を押動操作して操作内容を入力する機能を有する。建設機械のエンジンの冷却水の水温、燃料量などの建設機械の状態がセンサによって検出され、これら建設機械の状態がパスワード処理装置１上の表示画面２に表示される。つまりパスワード処理装置１はモニタ機能を備えている。またパスワード処理装置１上のスイッチ３〜１５を操作することにより建設機械の走行装置や作業装置を制御する制御コントローラに対して操作内容に対応する制御信号が出力され作業モードや走行速度が選択される。また制御コントローラの内部パラメータを設定したり調整することもできる。つまりパスワード処理装置１は制御機能を有する。さらにパスワード処理装置１は、予め記憶されたユーザパスワードを入力しない限りエンジンを始動させない、つまり建設機械の始動機能をロックした禁止状態を維持する始動機能ロック機能を有する。なお始動機能ロック機能の代わりに作業機能ロック機能を備えてもよい。この場合、予め記憶されたユーザパスワードを入力しない限り油圧ポンプから吐出される圧油を作業機用油圧アクチュエータに供給しない、つまり作業機の作業機能をロックした禁止状態を維持する。
【００１９】
スイッチ３〜１５はスイッチパネル１８上に設けられている。スイッチ３〜１５は押動操作されることで操作内容に応じた信号が図示しないコントローラに入力される。このコントローラは建設機械の走行装置、作業装置を操作内容に応じて制御する。またコントローラはパスワード処理装置１の表示画面２の表示を操作内容に応じて制御する。
【００２０】
スイッチ３〜１５のうちスイッチ３〜１２はパスワード処理装置１の表示画面２の表示内容に応じて、入力されるデータ内容を異ならせている。表示画面２の表示内容が、ユーザパスワードおよびサービスパスワードの各桁への数値入力を指示している場合にはスイッチ３〜１２はそれぞれ数値「０」〜「９」のデータを入力するテンキーとして機能する。すなわちスイッチ３を押すと「０」が入力され、スイッチ４を押すと「１」が入力され、スイッチ５を押すと「２」が入力され、スイッチ６を押すと「３」が入力され、スイッチ７を押すと「４」が入力され、スイッチ８を押すと「５」が入力され、スイッチ９を押すと「６」が入力され、スイッチ１０を押すと「７」が入力され、スイッチ１１を押すと「８」が入力され、スイッチ１２を押すと「９」が入力される。つまりスイッチ３〜１２は表示画面２に表示されたユーザパスワードおよびサービスパスワードの各桁へ数値を入力する。
【００２１】
表示画面２の表示内容が、数値入力以外を指示している場合にはスイッチ３〜１２はそれぞれスイッチに図示された文字、イラスト内容に応じたデータを入力するスイッチとして機能する。
【００２２】
またスイッチ１３、１４は表示画面２上の表示内容を選択するカーソルキーである。またスイッチ１５はエンターキーである。
【００２３】
ここでユーザパスワードは建設機械の正当な使用者（正当な使用者が許可した者を含む）のみが知り得る特定のパスワードである。また後述するサービスパスワードは建設機械を点検、整備するとともに、正当な使用者が許可したサービスマンのみが知り得る特定のパスワードである。第１の実施形態ではユーザパスワードおよびサービスパスワードは「１」、「２」などの数値と空欄の組合せであるものとする。なおユーザパスワードおよびサービスパスワードを「＊」などの記号と空欄の組合せとしてもよく、また「ａ」、「ア」、「あ」などの文字と空欄の組み合わせとしてもよい。さらにこれら数値、記号、文字を任意に組み合わせたものと空欄の組合せでもよい。要するにユーザパスワードおよびサービスパスワードには数値、記号、文字等の符号と空欄が割り当てられているものとする。勿論、ユーザパスワードおよびサービスパスワードのうち、何れか一方に数値、記号、文字等の符号と空欄を割り当てるようにしてもよい。
【００２４】
記憶部１６ａには建設機械の正当な使用者のみが知り得る４桁のユーザパスワードが予め記憶されているものとする。例えば、記憶部１６ａにはユーザパスワードが最上位の桁から順に１桁目を「１」、２桁目を「３」、３桁目を「空欄」、４桁目を「空欄」とするように予め記憶されているものとする。
【００２５】
一方、記憶部１６ｂにはサービスマンのみが知り得る６桁のサービスパスワードが予め記憶されているものとする。例えば、記憶部１６ｂにはサービスパスワードが最上位の桁から順に１桁目を「２」、２桁目を「４」、３桁目を「６」、４桁目を「８」、５桁目を「空欄」、６桁目を「空欄」とするように予め記憶されているものとする。
【００２６】
表示画面２は、スイッチ３〜１５の操作に応じて順次、次画面に遷移して表示内容が変化するディスプレイ部であり液晶等によって構成されている。ただし前述したように表示画面２の先頭画面であるユーザパスワード入力画面３０上でユーザパスワードが正しく入力されないと、次画面には遷移しない。
【００２７】
判定部１７は、表示画面２がユーザパスワード入力画面３０に遷移しているときに、スイッチ（テンキー）３〜１２を操作して入力した数値と記憶部１６ａに記憶されたユーザパスワードの上位２桁の数値「１」、「３」とが各桁毎に一致し、かつユーザパスワードの下位２桁の空欄のうち何れか一方、あるいは両方に対応して数値が入力されたか否かを判定する。また判定部１７は、表示画面２がサービスパスワード入力画面５０に遷移しているときに、スイッチ（テンキー）３〜１２を操作して入力した数値と記憶部１６ｂに記憶されたサービスパスワードの上位４桁の数値「２」、「４」、「６」、「８」とが各桁毎に一致し、かつサービスパスワードの下位２桁の空欄のうち何れか一方、あるいは両方に対応して数値が入力されたか否かを判定する。また判定部１７は、サービスパスワード入力画面５０上において上位４桁の数値入力の途中で誤ってエンターキー１５が押されたか否かを判定する。
【００２８】
次に図１に示すパスワード処理装置１の動作について、図２から図７（ａ）、（ｂ）、（ｃ）を併せ参照して説明する。なお、ここではユーザパスワード、あるいはサービスパスワードの下位２桁の空欄のうち両方に対応して数値が入力された場合を想定して説明する。図２は建設機械の始動機能または作業機能をロックした状態を解除する処理の手順を示すフローチャートであり、図３から図７（ａ）、（ｂ）、（ｃ）は表示画面２が遷移する様子を示す図である。
【００２９】
すなわち建設機械の電源が投入されると、つまりスタータースイッチがオン位置に操作されると、表示画面２の先頭画面には図３に示すようにユーザパスワード入力画面３０が表示される。ユーザパスワード入力画面３０上にはユーザパスワードの上位２桁の数値「１」、「３」に対応して桁表示部３０ａ、３０ｂが図３中左側に表示されるとともに、ユーザパスワードの下位２桁の空欄に対応してダミー桁表示部３０ｃ、３０ｄが図３中右側に表示される。なお図３において、ダミー桁表示部３０ｃ、３０ｄは斜線を引いて桁表示部３０ａ、３０ｂと区別している。しかし、実際には桁表示部３０ａ、３０ｂとダミー桁表示部３０ｃ、３０ｄとの色、柄、形状などを同じにして、正当な使用者以外の者にダミー桁表示部３０ｃ、３０ｄに対応して数値の入力を促すようにする。こうして正当な使用者以外の者によりダミー桁表示部３０ｃ、３０ｄに対応して数値が入力されやすくなる。まずユーザパスワードの１桁目に対応する桁表示部３０ａが点滅して１桁目の数値の入力を促す。表示画面２がユーザパスワード入力画面３０に遷移しているとスイッチ３〜１２はテンキーとして機能する。なお本実施形態では、桁表示部３０ａ、３０ｂとダミー桁表示部３０ｃ、３０ｄを点滅させることによって桁表示部３０ａ、３０ｂ、ダミー桁表示部３０ｃ、３０ｄへの数値の入力を促すことと、ダミー桁表示部３０ｃ、３０ｄを表示することによって正当な使用者以外の者に対してダミー桁表示部３０ｃ、３０ｄへの数値の入力を促すことは区別している。しかしながら本実施形態のように、桁表示部３０ａ、３０ｂと同様にダミー桁表示部３０ｃ、３０ｄを点滅させれば、正当な使用者以外の者によるダミー桁表示部３０ｃ、３０ｄへの数値の入力が一層促されることになる。
【００３０】
そこで正当な使用者がスイッチ４を押動操作して、桁表示部３０ａに対応するユーザパスワードの１桁目の数値「１」を入力する。一方、正当な使用者以外の者はスイッチ３〜１２を押動操作して、桁表示部３０ａに対応する数値を入力する。以後スイッチ３〜１２を押動操作する毎に点滅箇所が桁表示部３０ｂ、ダミー桁表示部３０ｃ、３０ｄへと順次移動して対応する桁の数値の入力を促す。正当な使用者は点滅箇所が桁表示部３０ｂ、ダミー桁表示部３０ｃ、３０ｄへと順次移動するに応じてスイッチ６を押動操作して、ユーザパスワードの２桁目に対応して数値「３」を入力するとともに、ユーザパスワードの３桁目と４桁目の空欄に対応して数値を入力しない。一方、正当な使用者以外の者は、点滅箇所が桁表示部３０ｂ、ダミー桁表示部３０ｃ、３０ｄへと順次移動するに応じてスイッチ３〜１２を押動操作して、桁表示部３０ｂ、ダミー桁表示部３０ｃ、３０ｄに数値を順次入力する。但し、第１の実施形態では桁表示部３０ａ、３０ｂおよびダミー桁表示部３０ｃ、３０ｄには正当な使用者あるいは正当な使用者以外の者が入力した数値は表示されないものとする。もちろん入力した数値を表示させる実施も可能である（ステップ２００）。
【００３１】
判定部１７では、スイッチ（テンキー）３〜１２を操作して入力した数値と記憶部１６ａに記憶されたユーザパスワードの上位２桁の数値「１」、「３」とが各桁毎に一致し、かつユーザパスワードの下位２桁の空欄に対応して数値が入力されていないこと（空欄の状態になっていること）を判定している（ステップ２００）。
【００３２】
この結果、スイッチ（テンキー）３〜１２を操作して入力した数値と記憶部１６ａに記憶されたユーザパスワードの上位２桁の数値「１」、「３」とが各桁毎に一致し、かつユーザパスワードの下位２桁の空欄に対応して数値が入力されていないという条件が確定した場合には（ステップ２００の判断ＹＥＳ）、ユーザパスワード入力画面３０から図７（ａ）、（ｂ）、（ｃ）に示す次画面であるモニタ用画面８０、８１、８２に遷移することを許容する（ステップ２０６）。すなわち正当な使用者がユーザパスワードを入力したときには、次画面であるモニタ用画面８０、８１、８２に遷移することを許容する。さらに、ロック解除信号が出力され、始動機能または作業機能のロック状態が解除される（ステップ２０７）。エンジン始動前であれば図７（ａ）に示すモニタ用先頭画面８０から図７（ｂ）に示すモニタ用始動前画面８１に遷移する。エンジンが始動されると図７（ｂ）に示すモニタ用始動前画面８１から図７（ｃ）に示すモニタ用始動後画面８２に遷移する。これによりパスワード処理装置１の表示画面２上で建設機械の状態をモニタすることができる。なおスイッチ２〜１５を操作することにより表示画面２を図示しない制御用画面に遷移させることができ、この制御用画面上で作業モードや走行速度を選択して建設機械の走行装置や作業装置を制御したり、制御コントローラの内部パラメータを設定したり調整することができる。
【００３３】
一方、判定部１７では、ユーザパスワードの下位２桁の空欄に対応して数値が入力されたことを判定している（ステップ２００）。この結果ユーザパスワードの下位２桁の空欄に対応して数値が入力されたことが判定された時点で（ステップ２００の判断ＮＯ）、入力されたユーザパスワードと、記憶部１６ａに記憶されたユーザパスワードが不一致になったものと判定され、ユーザパスワード入力画面３０上の点滅箇所が再度ユーザパスワードの１桁目に対応する桁表示部３０ａに移行して、正しいユーザパスワードの入力を促すとともに、表示画面２は先頭画面であるユーザパスワード入力画面３０の状態を維持する。このように本実施形態によればダミーの桁に符号が入力された時点で、設定された特定のパスワードと入力したパスワードとが不一致であると判定できるので、パスワードの不一致の判定を迅速に行うことができる。
【００３４】
もちろん入力されたユーザパスワードと、記憶部１６ａに記憶されたユーザパスワードを各桁すべてについて比較する処理を経たのちにパスワードの不一致を判定する実施も可能である。
【００３５】
この場合判定部１７では、スイッチ（テンキー）３〜１２を操作して入力した数値と記憶部１６ａに記憶されたユーザパスワードの上位２桁の数値「１」、「３」が一致していないという条件か、あるいはユーザパスワードの下位２桁の空欄に対応して数値が入力されたという条件の何れか一方、あるいは両方の条件が確定した場合には（ステップ２００の判断ＮＯ）、ユーザパスワード入力画面３０上の点滅箇所が再度ユーザパスワードの１桁目に対応する桁表示部３０ａに移行して、正しいユーザパスワードの入力を促すとともに、表示画面２は先頭画面であるユーザパスワード入力画面３０の状態を維持する。このように本実施形態によれば正当な使用者がユーザパスワードを忘れたか正当使用者以外の者がユーザパスワードを入力しようとしているときには、次画面であるモニタ用画面８０、８１、８２に遷移することを許容しない。また制御用画面に遷移することを許容しない。このためパスワード処理装置１の機能をロックした状態を維持することができる。またロック解除信号が出力されないので始動機能または作業機能をロックした状態が維持される。
【００３６】
以上のように本実施形態によれば正当な使用者以外の者がダミーの桁への入力を促す指示にしたがってダミーの桁に符号を入力している限りは、ロック状態は解除されないので、複数の桁に符号を繰り返し入力することが可能な状況下にあったとしてもロック状態を解除することが実質的に不可能になる。
【００３７】
正当な使用者がユーザパスワードを忘れた場合のみ、つぎのような処理にてユーザパスワードを再生することができる。
【００３８】
すなわち、ユーザパスワードが正しく入力されないことが判明した時点で正当な使用者はサービスマンを呼び出す。サービスマンはスイッチ３〜１２をサービスマンのみが知り得る特定のパターンで操作する。この特定の操作パターンは、たとえば特定のスイッチを特定の回数だけ押し続けるパスワードや、複数の特定のスイッチを同時に押すパスワードなどである。なお、第１の実施形態ではサービスマン以外の者がスイッチ３〜１２を任意に繰り返し操作したことによってこの特定の操作パターンを知り得る場合も想定する。スイッチ３〜１２が特定の操作パターンで操作されると（ステップ２０１の判断ＹＥＳ）、図３のユーザパスワード入力画面３０から図４に示すサービスメニュー画面４０に遷移される。サービスメニュー画面４０上にはサービスメニュー「００」〜「０３」が表示される。なおサービスメニュー画面４０はスクロールすることができる（ステップ２０２）。
【００３９】
同図４に示すようにサービスメニュー画面４０の各サービスメニューの中には「０３  パスワード設定」が表示されている。表示画面２がサービスメニュー画面４０に遷移しているとスイッチ３〜１２はテンキーとして機能する。そこでスイッチ３、１２が順次押されると、「０」、「９」が入力され、サービスメニュー画面４０上の「０３  パスワード設定」が選択される。サービスメニュー画面４０上で「０３  パスワード設定」が選択され、選択確定を示すエンターキー１５が押し操作されると（ステップ２０３の判断ＹＥＳ）、図４のサービスメニュー画面４０から図５に示すサービスパスワード入力画面５０に遷移される。
【００４０】
サービスパスワード入力画面５０上には、サービスパスワードの上位４桁の数値「２」、「４」、「６」、「８」に対応して桁表示部５０ａ、５０ｂ、５０ｃ、５０ｄが図５中左側に表示されるとともに、サービスパスワードの下位２桁の空欄に対応してダミー桁表示部５０ｅ、５０ｆが図５中右側に表示される。さらにサービスパスワード入力画面５０上にはＥＮＴ表示部５０ｇが表示されている。なお図５において、ダミー桁表示部５０ｅ、５０ｆは斜線を引いて桁表示部５０ａ、５０ｂ、５０ｃ、５０ｄと区別している。しかし、実際には桁表示部５０ａ、５０ｂ、５０ｃ、５０ｄとダミー桁表示部５０ｅ、５０ｆとの色、柄、形状などを同じにして、サービスマン以外の者にダミー桁表示部５０ｅ、５０ｆに対応して数値の入力を促すようにする。こうしてサービスマン以外の者によりダミー桁表示部５０ｅ、５０ｆに対応して数値が入力されやすくなる。まずサービスパスワードの１桁目に対応する桁表示部５０ａが点滅して１桁目の数値の入力を促す。表示画面２がサービスパスワード入力画面５０に遷移しているとスイッチ３〜１２はテンキーとして機能する。なお本実施形態では、桁表示部５０ａ、５０ｂ、５０ｃ、５０ｄとダミー桁表示部５０ｅ、５０ｆを点滅させることによって桁表示部５０ａ、５０ｂ、５０ｃ、５０ｄ、ダミー桁表示部５０ｅ、５０ｆへの数値の入力を促すことと、ダミー桁表示部５０ｅ、５０ｆを表示することによってサービスマン以外の者に対してダミー桁表示部５０ｅ、５０ｆへの数値の入力を促すことは区別している。しかしながら本実施形態のように、桁表示部５０ａ、５０ｂ、５０ｃ、５０ｄと同様にダミー桁表示部５０ｅ、５０ｆを点滅させれば、サービスマン以外の者によるダミー桁表示部５０ｅ、５０ｆへの数値の入力が一層促されることになる。
【００４１】
そこでサービスマンがスイッチ５を押動操作して、桁表示部５０ａに対応するサービスパスワードの１桁目の数値「２」を入力する。一方、サービスマン以外の者はスイッチ３〜１２を押動操作して、桁表示部５０ａに対応する数値を入力する。以後スイッチ３〜１２を押動操作する毎に点滅箇所が桁表示部５０ｂ、５０ｃ、５０ｄ、ダミー桁表示部５０ｅ、５０ｆへと順次移動して対応する桁の数値の入力を促す。サービスマンは点滅箇所が桁表示部５０ｂ、５０ｃ、５０ｄ、ダミー桁表示部５０ｅ、５０ｆへと順次移動するに応じてスイッチ７、９、１１を押動操作して、サービスパスワードの上位４桁の数値「２」、「４」、「６」、「８」の２桁目、３桁目、４桁目に対応して数値「４」、「６」、「８」を順次入力するとともに、サービスパスワードの５桁目と６桁目の空欄に対応して数値を入力しない。一方、サービスマン以外の者は、点滅箇所が桁表示部５０ｂ、５０ｃ、５０ｄ、ダミー桁表示部５０ｅ、５０ｆへと順次移動するに応じてスイッチ３〜１２を押動操作して、桁表示部５０ｂ、５０ｃ、５０ｄ、ダミー桁表示部５０ｅ、５０ｆに数値を順次入力する。但し、第１の実施形態では桁表示部５０ａ、５０ｂ、５０ｃ、５０ｄおよびダミー桁表示部５０ｅ、５０ｆにはサービスマンあるいはサービスマン以外の者が入力した数値は表示されないものとする。もちろん入力した数値を表示させる実施も可能である。
【００４２】
そしてサービスマンによって桁表示部５０ｄに、サービスパスワードの４桁目の数値「８」が入力される。またはサービスマン以外の者によってダミー桁表示部５０ｆに、６桁目の数値が入力される。サービスマン以外の者によってダミー桁表示部５０ｆに数値が入力されると、入力が確定したことを促すべくＥＮＴ表示部５０ｇが点滅される。
【００４３】
次にエンターキー１５が押されると、判定部１７で、スイッチ（テンキー）３〜１２を操作して入力した数値と記憶部１６ｂに記憶されたサービスパスワードの上位４桁の数値「２」、「４」、「６」、「８」とが各桁毎に一致し、かつサービスパスワードの下位２桁の空欄に対応して数値が入力されていないことが判定される。また判定部１７では、サービスパスワード入力画面５０上において上位４桁の数値入力の途中で誤ってエンターキー１５が押されていないことが判定される（ステップ２０４）。
【００４４】
この結果、スイッチ（テンキー）３〜１２を操作して入力した数値と記憶部１６ｂに記憶されたサービスパスワードの上位４桁の数値「２」、「４」、「６」、「８」とが各桁毎に一致しているという条件と、サービスパスワードの下位２桁の空欄に対応して数値が入力されていないという条件と、上位４桁の数値入力の途中で誤ってエンターキー１５が押されていないという条件の３つの条件が確定したときには（ステップ２０４の判断ＹＥＳ）、図５のサービスパスワード入力画面５０から図７に示すパスワード設定選択メニュー画面７０に遷移する（ステップ２０５）。すなわちサービスマンがサービスパスワードを入力したときには、次画面であるパスワード設定選択メニュー画面７０に遷移することを許容する。
【００４５】
しかし、サービスパスワードの下位２桁の空欄に対応して数値が入力された時点で（ステップ２０４の判断ＮＯ）、入力されたサービスパスワードと記憶部１６ｂに記憶されたサービスパスワードが不一致になったものと判定され、サービスパスワード入力画面５０上の点滅箇所が再度サービスパスワードの１桁目に対応する桁表示部５０ａに移行して、正しいサービスパスワードの入力を促すとともに、表示画面２は再度サービスパスワード入力画面５０の状態を維持する。
【００４６】
このようにダミーの桁に符号が入力された時点で、設定された特定のパスワードと入力したパスワードとが不一致であると判定できるので、パスワードの不一致の判定を迅速に行うことができる。
【００４７】
もちろん入力されたサービスパスワードと、記憶部１６ｂに記憶されたサービスパスワードを各桁すべてについて比較する処理を経たのちにパスワードの不一致を判定する実施も可能である。
【００４８】
この場合には、スイッチ（テンキー）３〜１２を操作して入力した数値と記憶部１６ｂに記憶されたサービスパスワードの上位４桁の数値「２」、「４」、「６」「８」が一致していないという条件と、サービスパスワードの下位２桁の空欄に対応して数値が入力されたという条件と、上位４桁の数値入力の途中で誤ってエンターキー１５が押されたという条件のうちの何れか一つの条件、あるいは複数の条件が重なった場合には（ステップ２０４の判断ＮＯ）、サービスパスワード入力画面５０上の点滅箇所が再度サービスパスワードの１桁目に対応する桁表示部５０ａに移行して、正しいサービスパスワードの入力を促すとともに、表示画面２は再度サービスパスワード入力画面５０の状態を維持する。すなわちサービスマン以外の者がサービスパスワードを入力しようとしているときには、次画面であるパスワード設定選択メニュー画面７０に遷移することを許容しない。
【００４９】
図６に示すようにパスワード設定選択メニュー画面７０上にはユーザパスワードを再生（現在のユーザパスワードを表示、ユーザパスワードを変更）したり、パスワード機能をオンオフしたり、サービスパスワードを変更したりするメニューが表示されている。このパスワード設定選択メニュー画面７０上においてユーザパスワードを再生するメニューが選択される。
【００５０】
これによりサービスマンはユーザパスワードを知り得るので再度図３に示すユーザパスワード入力画面３０上で、スイッチ（テンキー）３〜１２によってユーザパスワードを入力すれば（ステップ２００）、入力した数値と記憶部１６ｂに記憶されたユーザパスワードの上位２桁の数値「１」、「３」とが各桁毎に一致するとともに、ユーザパスワードの下位２桁の空欄に対応して数値が入力されていないと判断される（ステップ２００の判断ＹＥＳ）。従って図３に示すユーザパスワード入力画面３０から図７（ａ）、（ｂ）、（ｃ）に示す次画面であるモニタ用画面８０、８１、８２に遷移することが許容される（ステップ２０６）。さらに、ロック解除信号が出力され、始動機能または作業機能のロック状態が解除される（ステップ２０７）。
【００５１】
またパスワードが正当な使用者以外の者に知られた場合には、ユーザパスワードを任意に変更することもできる。つまり数値が入力されべき桁とダミーの桁の配置関係を任意に変更することで、ロック状態の解除を再度困難ならしめることができる。
【００５２】
以上のように第１の実施形態によれば、ユーザパスワードの４桁のうち、下位２桁が空欄となるように予めユーザパスワードが記憶部１６ａに記憶される。そして４桁への入力を促す指示が表示画面２を用いて与えられる。
【００５３】
従って、第１の実施形態によれば、パスワード入力画面３０上で４桁に数値を繰り返し入力し４桁の数値の全ての組合せを入力し終えたとしても、建設機械の始動機能または作業機能のロック状態の解除が不可能になる。
【００５４】
なお、第１の実施形態はユーザパスワード、あるいはサービスパスワードの下位２桁の空欄のうち両方に対応して数値が入力された場合を想定して説明したが、もちろんユーザパスワード、あるいはサービスパスワードの下位２桁の空欄のうち何れか一方に対応して数値が入力された場合にも適用することができる。
【００５５】
また、第１の実施形態ではユーザパスワードの３桁目と４桁目が空欄になるように記憶するとともに、サービスパスワードの５桁目と６桁目が空欄になるように記憶しているが、これに限らずユーザパスワードおよびサービスパスワードともに、１あるいは複数の任意の桁が空欄になるように記憶することができる。
【００５６】
なお、図３に示すユーザパスワード入力画面３０では、桁表示部３０ａ、３０ｂを図３中左側に表示するとともに、ダミー桁表示部３０ｃ、３０ｄを図３中右側に表示しているが、桁表示部３０ａ、３０ｂとダミー桁表示部３０ｃ、３０ｄが表示されている位置は図３に限らない。図８は図３の変形例である。なお図８の桁表示部９０ａ、９０ｄは図３の桁表示部３０ａ、３０ｂに相当する。また図８のダミー桁表示部９０ｂ、９０ｃは図８のダミー桁表示部９０ｂ、９０ｃに相当する。
【００５７】
すなわち、図８に示すユーザパスワード入力画面９０のように、桁表示部９０ａを図８中左側に表示し、桁表示部９０ｄを図８中右側に表示するとともに、ダミー桁表示部９０ｂ、９０ｃを図８中中央に表示してもよい。
【００５８】
さらに、図５に示すサービスパスワード入力画面５０では、桁表示部５０ａ、５０ｂ、５０ｃ、５０ｄを図５中左側に表示するとともに、ダミー桁表示部５０ｅ、５０ｆを図５中右側に表示しているが、桁表示部５０ａ、５０ｂ、５０ｃ、５０ｄとダミー桁表示部５０ｅ、５０ｆが表示されている位置は図５に限らない。図９は図５の変形例である。なお図９の桁表示部６０ａ、６０ｂ、６０ｅ、６０ｆは図５の桁表示部５０ａ、５０ｂ、５０ｃ、５０ｄに相当する。また図９のダミー桁表示部６０ｃ、６０ｄは図５のダミー桁表示部５０ｅ、５０ｆに相当する。
【００５９】
すなわち、図９に示すサービスパスワード入力画面６０のように、桁表示部６０ａ、６０ｂを図９中左側に表示し、桁表示部６０ｅ、６０ｆを図９中右側に表示するとともに、ダミー桁表示部６０ｃ、６０ｄを図９中中央に表示してもよい。
【００６０】
また図１３に示すように、ダミーの桁によって、数値が入力されるべき桁が挟まれるように、ダミーの桁を配置することもできる。
【００６１】
さて、上述した第１の実施形態では予め設定されたパスワードの各桁への入力を促す指示を表示画面２を用いて与えるようにしているが、音声によって与えるようにしてもよい。
【００６２】
そこで、予め設定されたパスワードの各桁への入力を促す指示を音声によって与えるようにした第２の実施形態について図１０、図１１を参照して説明する。なお、第２の実施形態のパスワード処理装置は預金残高、振込金額、引落金額など金融機関の利用者の固有情報を電話によって提供するテレフォンバンキング装置に適用された場合を想定している。
【００６３】
テレフォンバンキング装置１１５は、電話機１１０のプッシュスイッチ１１６を押動操作して操作内容を入力する機能を有する。
【００６４】
またテレフォンバンキング装置１１５は、予め記憶された金融パスワードを入力しない限り固有情報を送信しない。
【００６５】
ここで金融パスワードはテレフォンバンキング装置１１５の正当な使用者（正当な使用者が許可した者を含む）のみが知り得る特定のパスワードである。この第２の実施形態では金融パスワードは数値と空欄の組合せであるものとする。なお金融パスワードは記号と空欄の組合せとしてもよく、また記号と数値と空欄を混合した組合せでもよい。要するに金融パスワードには数値、記号等の符号と空欄が割り当てられているものとする。
【００６６】
テレフォンバンキング装置１１５では、このテレフォンバンキング装置１１５の正当な使用者毎に割り当てられた電話機１１０と複数の各桁への入力を促す指示を与える金融機関のテレフォンバンキング用端末１１１とを、交換機１１４を介して公衆網電話回線ｓによって接続している。
【００６７】
電話機１１０は市販されているものであり、電話機１１０のプッシュスイッチ１１６を押動操作することにより公衆網電話回線ｓを介してテレフォンバンキング用端末１１１に呼出信号を送信する。
【００６８】
プッシュスイッチ１１６は電話機１１０上に設けられている。またプッシュスイッチ１１６は複数の各桁へ数値を入力する。またプッシュスイッチ１１６では「＃」、あるいは「＊」、あるいは特定の数値などを入力するスイッチが上述した第１の実施形態のエンターキー１５と同様に操作される。
【００６９】
金融機関側にはテレフォンバンキング用端末１１１の他に、テレフォンバンキング用記憶装置１１２と、テレフォンバンキング用判定装置１１３とが備えられているものとする。
【００７０】
テレフォンバンキング用記憶装置１１２には正当な使用者のみが知り得る６桁の金融パスワードが予め記憶されているものとする。例えば、テレフォンバンキング用記憶装置１１２には金融パスワードが最上位の桁から順に１桁目を「１」、２桁目を「２」、３桁目を「３」、４桁目を「４」、５桁目を「空欄」、６桁目を「空欄」とするように予め記憶されているものとする。
【００７１】
テレフォンバンキング用判定装置１１３は、電話機１１０のプッシュスイッチ１１６を操作して入力した数値とテレフォンバンキング用記憶装置１１２に記憶された金融パスワードの上位４桁の数値「１」、「２」、「３」、「４」とが各桁毎に一致し、かつ金融パスワードの下位２桁の空欄のうち何れか一方、あるいは両方に対応して数値が入力されたか否かを判定する。またテレフォンバンキング用判定装置１１３は、電話機１１０のプッシュスイッチ１１６を操作して入力した数値とテレフォンバンキング用記憶装置１１２に記憶された金融パスワードの上位４桁の数値「１」、「２」、「３」、「４」とが各桁毎に一致し、かつ金融パスワードの下位２桁の空欄に対応して数値が入力されていないという条件の場合に、送信解除信号をテレフォンバンキング用端末１１１に送信する。またテレフォンバンキング用判定装置１１３は、電話機１１０のプッシュスイッチ１１６を操作して入力した数値とテレフォンバンキング用記憶装置１１２に記憶された金融パスワードの上位４桁の数値「１」、「２」、「３」、「４」が一致していないという条件か、あるいは金融パスワードの下位２桁の空欄のうち何れか一方、あるいは両方に対応して数値が入力されたという条件の何れか一方、あるいは両方の条件が確定した場合に、送信解除信号をテレフォンバンキング用端末１１１に送信しない。
【００７２】
テレフォンバンキング用端末１１１は電話機１１０から呼出信号を受信するとともに、呼出信号を送信した電話機１１０に公衆網電話回線ｓを介して  複数の各桁への入力を促す指示を音声によるメッセージとして送信する。またテレフォンバンキング用端末１１１はテレフォンバンキング用判定装置１１３から送信解除信号を受信した場合に正当な使用者の固有情報を電話機１１０に送信する。またテレフォンバンキング用端末１１１は送信解除信号を受信しない場合に正当な使用者の固有情報を電話機１１０に送信しない状態を維持する。
【００７３】
次にテレフォンバンキング装置１１５の動作について図１１を参照して説明する。なお、ここでは金融パスワードの下位２桁の空欄のうち両方に対応して数値が入力された場合を想定して説明する。
【００７４】
まずテレフォンバンキング装置１１５の正当な使用者、あるいはテレフォンバンキング装置１１５の正当な使用者以外の者が電話機１１０のプッシュスイッチ１１６を押動操作することにより公衆網電話回線ｓを介してテレフォンバンキング用端末１１１に呼出信号を送信する。そしてテレフォンバンキング用端末１１１によって呼出信号が受信され、公衆網電話回線ｓを介してテレフォンバンキング用端末１１１から電話機１１０に「お客様番号の６桁を入力して下さい」という音声によるメッセージが送信される。これによりテレフォンバンキング装置１１５の正当な使用者、あるいはテレフォンバンキング装置１１５の正当な使用者以外の者に、複数の桁への入力を促す指示が与えられる（ステップ９００）。
【００７５】
そこでテレフォンバンキング装置１１５の正当な使用者は電話機のプッシュスイッチ１１６を押動操作して、金融パスワードの上位４桁のみに数値「１」、「２」、「３」、「４」を入力する。一方、テレフォンバンキング装置１１５の正当な使用者以外の者は、テレフォンバンキング用端末１１１から送信されたメッセージにしたがって電話機１１０のプッシュスイッチ１１６を押動操作して、６桁の全てに数値を入力する（ステップ９０１）。
【００７６】
こうして正当な使用者によって金融パスワードの４桁目に、数値「４」が入力される。または正当な使用者以外の者によって６桁目に、数値が入力される。そして正当な使用者あるいは正当な使用者以外の者によって電話機１１０のプッシュスイッチ１１６の「＃」、あるいは「＊」、あるいは特定の数値などが入力されると（ステップ９０２）、つぎにテレフォンバンキング用判定装置１１３で、電話機１１０のプッシュスイッチ１１６を操作して入力した数値とテレフォンバンキング用記憶装置１１２に記憶された金融パスワードの上位４桁の数値「１」、「２」、「３」、「４」とが各桁毎に一致し、かつ金融パスワードの下位２桁の空欄に対応して数値が入力されていないことが判定される（ステップ９０３）。
【００７７】
この結果、電話機１１０のプッシュスイッチ１１６を操作して入力した数値とテレフォンバンキング用記憶装置１１２に記憶された金融パスワードの上位４桁の数値「１」、「２」、「３」、「４」とが各桁毎に一致し、かつ金融パスワードの下位２桁の空欄に対応して数値が入力されていないという条件の場合には（ステップ９０３の判断ＹＥＳ）、送信解除信号がテレフォンバンキング用端末１１１に送信され、正当な使用者の固有情報が電話機１１０に送信される（ステップ９０４）。
【００７８】
しかし、金融パスワードの下位２桁の空欄に対応して数値が入力されたことが判定された時点で（ステップ９０３の判断ＮＯ）、入力された金融パスワードとテレフォンバンキング用記憶装置１１２に記憶された金融パスワードが不一致になったものと判定され、ステップ９００に戻り、再び金融パスワードの入力を促す。すなわちテレフォンバンキング装置１１５の正当な使用者以外の者が金融パスワードを入力しようとしているときには、正当な使用者の固有情報を電話機１１０に送信しない状態が維持される。このように本実施形態においてもパスワードの不一致の判定処理を迅速に行うことができる。
【００７９】
また入力された金融パスワードと、テレフォンバンキング用記憶装置１１２に記憶された金融パスワードを各桁すべてについて比較する処理を経たのちにパスワードの不一致を判定する実施も可能である。
【００８０】
この場合には、電話機１１０のプッシュスイッチ１１６を操作して入力した数値とテレフォンバンキング用記憶装置１１２に記憶された金融パスワードの上位４桁の数値「１」、「２」、「３」、「４」が一致していないという条件か、あるいは金融パスワードの下位２桁の空欄に対応して数値が入力されたという条件の何れか一方、あるいは両方の条件が確定した場合には（ステップ９０３の判断ＮＯ）、ステップ９００に戻り、再び金融パスワードの入力を促す。すなわちテレフォンバンキング装置１１５の正当な使用者以外の者が金融パスワードを入力しようとしているときには、正当な使用者の固有情報を電話機１１０に送信しない状態が維持される。
【００８１】
以上のように第２の実施形態によれば、金融パスワードの６桁のうち、下位２桁が空欄となるように予めテレフォンバンキング用記憶装置１１２に記憶される。そして６桁への入力を促す指示がテレフォンバンキング用端末１１１によって音声のメッセージとして与えられる。
【００８２】
従って、第２の実施形態によれば、６桁に数値を繰り返し入力し６桁の数値の全ての組合せを入力し終えたとしても、正当な使用者の固有情報の送信を不可能にすることができる。
【００８３】
なお、第２の実施形態は金融パスワードの下位２桁の空欄のうち両方に対応して数値が入力された場合を想定して説明したが、もちろん金融パスワードの下位２桁の空欄のうち何れか一方に対応して数値が入力された場合にも適用することができる。
【００８４】
また、第２の実施形態では金融パスワードの５桁目と６桁目が空欄になるように記憶しているが、これに限らず金融パスワードの任意の１あるいは複数の桁が空欄になるように記憶してもよい。
【００８５】
なお、上述した第２の実施形態では金融パスワードの各桁への入力を促す指示を音声によって与えるようにしているが、勿論、前述の第１の実施形態と同様に金融パスワードの各桁への入力を促す指示を表示手段を用いて与えるようにしてもよい。
【００８６】
そこで、次に金融パスワードの各桁への入力を促す指示を表示手段を用いて与えるようにした実施形態について図１２を参照して説明する。
【００８７】
図１２は金融機関のＣＤ（現金自動支払機）、あるいはＡＴＭ（現金自動預払機）の表示画面の表示例を示す図である。なお図１２では図５のサービスパスワード入力画面５０をＣＤ、あるいはＡＴＭに設けられた表示装置の表示画面に適用した場合を想定している。従って図１２の暗証番号入力画面１００は図５のサービスパスワード入力画面５０に相当する。また図１２の桁表示部１００ａ、１００ｂ、１００ｃ、１００ｄは図５の桁表示部５０ａ、５０ｂ、５０ｃ、５０ｄに相当する。また図１１のダミー桁表示部１００ｅ、１００ｆは図５のダミー桁表示部５０ｅ、５０ｆに相当する。また図示しないＣＤ、あるいはＡＴＭはテレフォンバンキング用記憶装置１１２に相当する記憶手段と、テレフォンバンキング用判定装置１１３に相当する判定手段とを備えているものとする。
【００８８】
図１２によれば、ＣＤ、あるいはＡＴＭの正当な使用者が入力操作を行って、桁表示部１００ａに対応する金融パスワードの１桁目の数値「１」を入力する。一方、ＣＤ、あるいはＡＴＭの正当な使用者以外の者が入力操作を行って、桁表示部１００ａに対応する数値を入力する。以後金融パスワードの入力操作を行う毎に点滅箇所が桁表示部１００ｂ、１００ｃ、１００ｄ、ダミー桁表示部１００ｅ、１００ｆへと順次移動して対応する桁の数値の入力を促す。正当な使用者は点滅箇所が桁表示部１００ｂ、１００ｃ、１００ｄ、ダミー桁表示部１００ｅ、１００ｆへと順次移動するに応じて金融パスワードの入力操作を行って、金融パスワードの上位４桁の数値「１」、「２」、「３」、「４」の２桁目、３桁目、４桁目に対応して数値「２」、「３」、「４」を入力するとともに、下位２桁の空欄に対応して数値を入力しない。一方、正当な使用者以外の者は、点滅箇所が桁表示部１００ｂ、１００ｃ、１００ｄ、ダミー桁表示部１００ｅ、１００ｆへと順次移動するに応じて金融パスワードの入力操作を行って、桁表示部１００ｂ、１００ｃ、１００ｄ、ダミー桁表示部１００ｅ、１００ｆに数値を順次入力する。
【００８９】
そして正当な使用者によって桁表示部１００ｄに、金融パスワードの４桁目の数値「４」が入力される。または正当な使用者以外の者によってダミー桁表示部１００ｆに、数値が入力される。ここで第１の実施形態のエンターキー１５に相当する図示しない確認スイッチが押されると、つぎにＣＤ、あるいはＡＴＭの判定手段で、入力した数値と記憶された金融パスワードの上位４桁の数値「１」、「２」、「３」、「４」とが各桁毎に一致し、かつ金融パスワードの下位２桁の空欄に対応して数値が入力されていないことが判定される。
【００９０】
この結果、入力した数値と記憶されたパスワードの上位４桁の数値「１」、「２」、「３」、「４」とが各桁毎に一致しているという条件と、かつ金融パスワードの下位２桁の空欄に対応して数値が入力されていないという条件と、４桁の数値入力の途中で誤って確認スイッチが押されていないという条件の３つの条件が確定したときに正当な使用者の固有情報が表示される。
【００９１】
しかし、金融パスワードの下位２桁の空欄に対応して数値が入力されたことが判定された時点で、暗証番号入力画面１００上の点滅箇所が再度金融パスワードの１桁目に対応する桁表示部１００ａに移行して、再び正しい金融パスワードの入力を促す。すなわちＣＤ、あるいはＡＴＭの正当な使用者以外の者が金融パスワードを入力しようとしているときには、ＣＤ、あるいはＡＴＭの表示画面は暗証番号入力画面１００の状態を維持する。このように本実施形態においてもパスワードの不一致の判定処理を迅速に行うことができる。
【００９２】
また入力された金融パスワードと、記憶された金融パスワードを各桁すべてについて比較する処理を経たのちにパスワードの不一致を判定する実施も可能である。
【００９３】
この場合には、入力した数値と記憶された金融パスワードの上位４桁の数値「１」、「２」、「３」、４」が一致していないという条件と、金融パスワードの下位２桁の空欄に対応して数値が入力されたという条件と、４桁の数値入力の途中で誤って確認スイッチが押されたという条件のうちの一つの条件、あるいは複数の条件が重なった場合には、暗証番号入力画面１００上の点滅箇所が再度金融パスワードの１桁目に対応する桁表示部１００ａに移行して、再び正しい金融パスワードの入力を促す。すなわちＣＤ、あるいはＡＴＭの正当な使用者以外の者が金融パスワードを入力しようとしているときには、ＣＤ、あるいはＡＴＭの表示画面は暗証番号入力画面１００の状態を維持する。
【００９４】
なお、図１２では金融パスワードの下位２桁の空欄のうち両方に対応して数値が入力された場合を想定して説明したが、もちろん金融パスワードの下位２桁の空欄のうち何れか一方に対応して数値が入力された場合にも適用することができる。
【００９５】
また、図１２に示す暗証番号入力画面１００では、桁表示部１００ａ、１００ｂ、１００ｃ、１００ｄを図１１中左側に表示するとともに、ダミー桁表示部１００ｅ、１００ｆを図１２中右側に表示しているが、桁表示部１００ａ、１００ｂ、１００ｃ、１００ｄとダミー桁表示部１００ｅ、１００ｆとの位置は図１２に限らなくてもよい。すなわち、桁表示部１００ａ、１００ｂを図１２中左側に表示し、桁表示部１００ｃ、１００ｄを図１２中右側に表示するとともに、ダミー桁表示部１００ｅ、１００ｆを図１２中中央に表示してもよい。この場合、図１２の桁表示部１００ａ、１００ｂ、１００ｃ、１００ｄは図９の桁表示部６０ａ、６０ｂ、６０ｅ、６０ｆに相当する。また図１２のダミー桁表示部１００ｅ、１００ｆは図９のダミー桁表示部６０ｃ、６０ｄに相当する。
【００９６】
なお図１３に示すように、ダミーの桁によって、数値が入力されるべき桁が挟まれるように、ダミーの桁を配置することもできる。
【００９７】
さらに第１の実施形態と同様に、金融パスワードが正当な使用者以外の者に知られたときには、サービスマン等による特定の操作によって金融パスワードを構成する数値が入力されるべき桁と、ダミーの桁の配置関係を任意に変更してもよい。
【００９８】
ところで、上述した本発明のパスワード処理装置は、インターネットを利用した商取り引きにおける売買当事者の認証手段に適用してもよい。
【００９９】
また、本発明のパスワード処理装置は、デジタルテレビ放送によって金融機関の利用者の固有情報の提供を行うテレビバンキング装置に適用してもよい。
【０１００】
これら売買当事者の認証手段やテレビバンキング装置では、予め設定されたパスワードの各桁への入力を促す指示を表示、あるいは音声、あるいは表示と音声との組合せによって与えるようにしてもよい。
【図面の簡単な説明】
【図１】図１は本発明のパスワード処理装置の第１の実施形態を示す図である。
【図２】図２は建設機械の始動機能または作業機能をロックした状態を解除する処理の手順を示すフローチャートである。
【図３】図３は第１の実施形態の表示画面の表示例を示す図である。
【図４】図４は第１の実施形態の表示画面の表示例を示す図である。
【図５】図５は第１の実施形態の表示画面の表示例を示す図である。
【図６】図６は第１の実施形態の表示画面の表示例を示す図である。
【図７】図７（ａ）、（ｂ）、（ｃ）は第１の実施形態の表示画面の表示例を示す図である。
【図８】図８は第１の実施形態の表示画面の表示例を示す図である。
【図９】図９は第１の実施形態の表示画面の表示例を示す図である。
【図１０】図１０は本発明のパスワード処理装置の第２の実施形態を示す図である。
【図１１】図１１はテレフォンバンキング装置の正当な使用者の固有情報を送信しない状態を解除する処理の手順を示すフローチャートである。
【図１２】図１２は現金自動支払機、現金自動預払機の表示画面の表示例を示す図である。
【図１３】図１３はパスワードを構成する各桁の配置関係を示す図である。
【符号の説明】
１…パスワード処理装置
２…表示画面
３〜１５…スイッチ
１６ａ、１６ｂ…記憶部
１７…判定部
１１５…テレフォンバンキング装置
１１１…テレフォンバンキング用端末
１１０…電話機
１１６…プッシュスイッチ
１１２…テレフォンバンキング用記憶装置
１１３…テレフォンバンキング用判定装置
【図１】
0004453998.tif 000002
【図２】
0004453998.tif 000003
【図３】
0004453998.tif 000004
【図４】
0004453998.tif 000005
【図５】
0004453998.tif 000006
【図６】
0004453998.tif 000007
【図７】
0004453998.tif 000008
【図８】
0004453998.tif 000009
【図９】
0004453998.tif 000010
【図１０】
0004453998.tif 000011
【図１１】
0004453998.tif 000012
【図１２】
0004453998.tif 000013
【図１３】
0004453998.tif 000014